(57)【要約】【課題】  猫の排泄物を猫砂にまぶして臭いの発生を抑えるとともに、排泄物による汚れを少なくすることができる猫用トイレを提供すること。【解決手段】  猫砂４を収容するトイレ容器６と、猫砂４を混ぜるための羽根体２６と、トイレ容器６と羽根体２６とを相対的に回転駆動するための回動機構２８と、を備えた猫用トイレ。回動機構２８によってトイレ容器６と羽根体２６とが相対的に回転されると、羽根体２６の作用によって、猫の排泄物４２が猫砂４と混ぜられてまぶされ、これによって、排泄物４２からの臭いの発生が抑えられる。トイレ容器６内の猫砂４は、トイレ容器６の外周側に移動され、外周側に移動された猫砂４は自重によってトイレ容器６の中央部に流下するようにするのが望ましい。【選択図】  図２
2006340716.tif 000002
【特許請求の範囲】
【請求項１】
トイレ容器に収容される猫砂に、排泄物を分解するための微生物としてエンペドバクター属細菌を混ぜたことを特徴とする猫用トイレ。
【請求項２】
前記エンペドバクター属細菌が、ＳＩＩＤ２９２６−１ｂ株（ＦＥＲＭ  ＡＰ−２０１０８）であることを特徴とする請求項１に記載の猫用トイレ。
【請求項３】
猫砂を収容するトイレ容器と、前記猫砂を混ぜるための羽根体と、前記トイレ容器と前記羽根体とを相対的に回転駆動するための回動機構と、を備え、前記回動機構によって前記トイレ容器と前記羽根体とを相対的に回転駆動すると、前記羽根体の作用によって、猫の排泄物が猫砂と混ぜられてまぶされることを特徴とする猫用トイレ。
【請求項４】
前記回動機構は前記トイレ容器に対して前記羽根体を所定方向に回動し、前記羽根体によって、猫砂が混ぜられながら前記トイレ容器の外周側に移動され、外周側に移動された猫砂は自重によって前記トイレ容器の中央部に流下し、かかる猫砂の流れによって猫の排泄物が猫砂でまぶされることを特徴とする請求項３に記載の猫用トイレ。
【請求項５】
前記羽根体の少なくとも一部には、大きな固形物を捕捉するための捕捉部が設けられていることを特徴とする請求項３又は４に記載の猫用トイレ。
【請求項６】
前記トイレ容器に関連して、大きな固形物を捕捉するための捕捉部材が設けられ、前記捕捉部材は前記羽根体の上側に配設されることを特徴とする請求項３又は４に記載の猫用トイレ。
【請求項７】
前記トイレ容器の上面開口には便座が着脱自在に取り付けられ、前記便座の所定部位には便座開口が設けられており、更に前記便座には前記回動機構の駆動源が取り付けられ、前記駆動源からの駆動力を伝達する駆動軸が前記トイレ容器の底部に向けて延び、前記駆動軸の先端部に前記羽根体が取り付けられていることを特徴とする請求項３又は４に記載の猫用トイレ。
【請求項８】
前記トイレ容器に関連して、大きな固形物を捕捉するための捕捉部材が設けられ、前記捕捉部材は前記トイレ容器の底部と前記羽根体との間に挿入され、猫砂にまぶされた排泄物を取り除くときには、前記便座が前記トイレ容器から取り外され、前記便座を取り外した状態にて前記捕捉部材が上方に持ち上げられることを特徴とする請求項７に記載の猫用トイレ。   
【請求項９】
前記トイレ容器の上面開口には便座が開閉自在に装着され、前記便座の所定部位には便座開口が設けられており、更に前記便座には前記回転機構の駆動源が取り付けられ、前記駆動源からの駆動力を伝達する駆動軸が前記トイレ容器の底部に向けて延び、前記駆動軸の先端部に前記羽根体が取り付けられ、前記トイレ容器の上面開口を覆う閉状態に前記便座を位置付けると、前記羽根体が前記トイレ容器内の猫砂内に位置し、前記トイレ容器の上面開口を開放する開状態にすると、前記羽根体が前記トイレ容器内の猫砂の上方に位置することを特徴とする請求項３又は４に記載の猫用トイレ。
【請求項１０】
前記トイレ容器に関連して、大きな固形物を捕捉するための捕捉部材が設けられ、前記捕捉部材は前記トイレ容器の底部と前記羽根体との間に挿入され、猫砂にまぶされた排泄物を取り除くときには、前記便座が前記開状態に保持され、前記便座を前記開状態に保持した状態にて前記捕捉部材が上方に持ち上げられることを特徴とする請求項９に記載の猫用トイレ。   
【請求項１１】
前記トイレ容器を収容するためのトイレハウジングを更に備え、前記トイレ容器は前記トイレハウジング内に回転自在に支持され、前記回動機構によって所定方向に回動されるように構成されており、また前記羽根体は支持部及びこの支持部から延びる羽根部とを有し、前記支持部が前記トイレハウジング又は前記便座に取り付けられていることを特徴とする請求項３に記載の猫用トイレ。
【請求項１２】
前記羽根体の前記羽根部は、前記トイレ容器内の猫砂に作用して混ぜる作用位置と、前記トイレ容器内の猫砂から上方に後退する後退位置との間を移動自在に前記支持部に連結され、猫砂を混ぜるときには前記作用位置に保持され、猫砂にまぶされた排泄物を除去するときには前記後退位置に保持されることを特徴とする請求項１１に記載の猫用トイレ。
【請求項１３】
前記羽根体は前記トイレ容器の底部に配設され、前記回動機構によって所定方向に回動されるように構成されており、また前記捕捉部材は前記羽根体の上側に配設され、前記羽根体の作用により前記トイレ容器の外周側に移動された猫砂は、その自重によって前記捕捉部材に向けて流下することを特徴とする請求項３に記載の猫用トイレ。
【請求項１４】
前記回動機構は、猫の動きを利用して前記トイレ容器と前記羽根体とを相対的に回転駆動することを特徴とする請求項３に記載の猫用トイレ。
【請求項１５】
前記回動機構は、猫からの負荷が加わると下方に移動するシーソー機構と、前記シーソー機構の上下移動を前記羽根体の回転移動に変換する動き変換機構とを備え、猫により前記シーソー機構が下方に移動すると、前記動き変換機構を介して前記羽根体が所定方向に回動されることを特徴とする請求項１４に記載の猫用トイレ。
【発明の詳細な説明】
【技術分野】
【０００１】
本発明は、猫が糞尿などを排泄するときに用いる猫用トイレに関する。
【背景技術】
【０００２】
猫用トイレとして、上面が開放された砂収容空間を規定するトイレ本体と、糞尿を通すための開口を有する便座部材と、この砂収容空間に収容された猫砂とを備えたものが知られている（例えば、特許文献１参照）。この猫用トイレでは、便座部材がトイレ本体の開放された上部に開閉自在に装着される。トイレとして使用するときには、便座部材はトイレ本体の上部を覆う使用状態に保持され、猫は便座部材に乗った状態で排泄を行い、猫からの排泄物は便座部材の開口を通してトイレ本体内の猫砂上に排泄される。また、排泄物を取り除くときには、便座部材はトイレ本体の上部を開放する開放状態に保持され、開放された上方空間を利用して猫砂上に排泄させた排泄物をスコップなどを用いて取り除くことができる。
【０００３】
【特許文献１】特開２００５−３３３９３９号公報
【発明の開示】
【発明が解決しようとする課題】
【０００４】
しかしながら、上述した猫用トイレでは、糞尿などの排泄物を猫砂から取り除くときには、スコップですくって取り除くが、乾いてトイレ本体に固くくっついた排泄物をトイレ本体から引きはがしてきれいに清掃するのが煩雑で、手間を要するという問題がある。また、このような猫用トイレでは、猫の排泄物からの臭いが生じ、猫用トイレを室内に置いたときには、この臭いが室内に充満するという問題がある。
【０００５】
本発明の目的は、猫の排泄物を猫砂にまぶして臭いの発生を抑えるとともに、排泄物による汚れを少なくし、また排泄物を簡単に処理できる猫用トイレを提供することである。
【０００６】
また、本発明の他の目的は、猫砂にした排泄物を分解するとともに消臭を行うことができる猫用トイレを提供することである。
【課題を解決するための手段】
【０００７】
本発明の請求項１に記載の猫用トイレは、トイレ容器に収容される猫砂に、排泄物を分解するための微生物としてエンペドバクター属細菌を混ぜたことを特徴とする。
また、本発明の請求項２に記載の猫用トイレでは、前記エンペドバクター属細菌が、ＳＩＩＤ２９２６−１ｂ株（ＦＥＲＭ  ＡＰ−２０１０８）であることを特徴とする。
【０００８】
また、本発明の請求項３に記載の猫用トイレは、猫砂を収容するトイレ容器と、前記猫砂を混ぜるための羽根体と、前記トイレ容器と前記羽根体とを相対的に回転駆動するための回動機構と、を備え、前記回動機構によって前記トイレ容器と前記羽根体とを相対的に回転駆動すると、前記羽根体の作用によって、猫の排泄物が猫砂と混ぜられてまぶされることを特徴とする。
【０００９】
また、本発明の請求項４に記載の猫用トイレでは、前記回動機構は前記トイレ容器に対して前記羽根体を所定方向に回動し、前記羽根体によって、猫砂が混ぜられながら前記トイレ容器の外周側に移動され、外周側に移動された猫砂は自重によって前記トイレ容器の中央部に流下し、かかる猫砂の流れによって猫の排泄物が猫砂でまぶされることを特徴とする。
【００１０】
また、本発明の請求項５に記載の猫用トイレでは、前記羽根体の少なくとも一部には、大きな固形物を捕捉するための捕捉部が設けられていることを特徴とする。
また、本発明の請求項６に記載の猫用トイレでは、前記トイレ容器に関連して、大きな固形物を捕捉するための捕捉部材が設けられ、前記捕捉部材は前記羽根体の上側に配設されることを特徴とする。
【００１１】
また、本発明の請求項７に記載の猫用トイレでは、前記トイレ容器の上面開口には便座が着脱自在に取り付けられ、前記便座の所定部位には便座開口が設けられており、更に前記便座には前記回動機構の駆動源が取り付けられ、前記駆動源からの駆動力を伝達する駆動軸が前記トイレ容器の底部に向けて延び、前記駆動軸の先端部に前記羽根体が取り付けられていることを特徴とする。
【００１２】
また、本発明の請求項８に記載の猫用トイレでは、前記トイレ容器に関連して、大きな固形物を捕捉するための捕捉部材が設けられ、前記捕捉部材は前記トイレ容器の底部と前記羽根体との間に挿入され、猫砂にまぶされた排泄物を取り除くときには、前記便座が前記トイレ容器から取り外され、前記便座を取り外した状態にて前記捕捉部材が上方に持ち上げられることを特徴とする。
【００１３】
また、本発明の請求項９に記載の猫用トイレでは、前記トイレ容器の上面開口には便座が開閉自在に装着され、前記便座の所定部位には便座開口が設けられており、更に前記便座には前記回転機構の駆動源が取り付けられ、前記駆動源からの駆動力を伝達する駆動軸が前記トイレ容器の底部に向けて延び、前記駆動軸の先端部に前記羽根体が取り付けられ、前記トイレ容器の上面開口を覆う閉状態に前記便座を位置付けると、前記羽根体が前記トイレ容器内の猫砂内に位置し、前記トイレ容器の上面開口を開放する開状態にすると、前記羽根体が前記トイレ容器内の猫砂の上方に位置することを特徴とする。
【００１４】
また、本発明の請求項１０に記載の猫用トイレでは、前記トイレ容器に関連して、大きな固形物を捕捉するための捕捉部材が設けられ、前記捕捉部材は前記トイレ容器の底部と前記羽根体との間に挿入され、猫砂にまぶされた排泄物を取り除くときには、前記便座が前記開状態に保持され、前記便座を前記開状態に保持した状態にて前記捕捉部材が上方に持ち上げられることを特徴とする。
【００１５】
また、本発明の請求項１１に記載の猫用トイレでは、前記トイレ容器を収容するためのトイレハウジングを更に備え、前記トイレ容器は前記トイレハウジング内に回転自在に支持され、前記回動機構によって所定方向に回動されるように構成されており、また前記羽根体は支持部及びこの支持部から延びる羽根部とを有し、前記支持部が前記トイレハウジング又は前記便座に取り付けられていることを特徴とする。
【００１６】
また、本発明の請求項１２に記載の猫用トイレでは、前記羽根体の前記羽根部は、前記トイレ容器内の猫砂に作用して混ぜる作用位置と、前記トイレ容器内の猫砂から上方に後退する後退位置との間を移動自在に前記支持部に連結され、猫砂を混ぜるときには前記作用位置に保持され、猫砂にまぶされた排泄物を除去するときには前記後退位置に保持されることを特徴とする。
【００１７】
また、本発明の請求項１３に記載の猫用トイレでは、前記羽根体は前記トイレ容器の底部に配設され、前記回動機構によって所定方向に回動されるように構成されており、また前記捕捉部材は前記羽根体の上側に配設され、前記羽根体の作用により前記トイレ容器の外周側に移動された猫砂は、その自重によって前記捕捉部材に向けて流下することを特徴とする。
【００１８】
更に、本発明の請求項１４に記載の猫用トイレでは、前記回動機構は、猫の動きを利用して前記トイレ容器と前記羽根体とを相対的に回転駆動することを特徴とする。
更にまた、本発明の請求項１５に記載の猫用トイレでは、前記回動機構は、猫からの負荷が加わると下方に移動するシーソー機構と、前記シーソー機構の上下移動を前記羽根体の回転移動に変換する動き変換機構とを備え、猫により前記シーソー機構が下方に移動すると、前記動き変換機構を介して前記羽根体が所定方向に回動されることを特徴とする。
【発明の効果】
【００１９】
本発明の請求項１に記載の猫用トイレによれば、トイレ容器に収容される猫砂にエンペドバクター属細菌を混ぜているので、このエンペドバクター属細菌は猫の糞などの排泄物を強力に分解処理するとともに、この分解処理によって排泄物から生じる臭いを強力に消臭し、周囲への臭いの発散をも抑えることができる。
【００２０】
また、本発明の請求項２に記載の猫用トイレによれば、エンペドバクター属細菌がＳＩＩＤ２９２６−１ｂ株（ＦＥＲＭ  ＡＰ−２０１０８）であるので、猫の排泄物をより強力に分解処理するとともに、その消臭能力によって排泄物から生じる臭いをより強力に消臭することができる。
【００２１】
また、本発明の請求項３に記載の猫用トイレによれば、トイレ容器に猫砂を収容し、回動機構によって、トイレ容器と羽根体とを相対的に回転駆動するので、羽根体の作用によって猫の排泄物（糞尿）が猫砂と混ぜられながらまぶされ、これによって、排泄物からの臭いの発生を抑えることができる。尚、回動機構によるトイレ容器と羽根体との相対的回動は、手動で行うようにしてもよく、或いは電動モータなどの駆動源を用いて行うようにしてもよい。
【００２２】
また、本発明の請求項４に記載の猫用トイレによれば、羽根体が所定方向に回動され、この羽根体の回動によって、猫砂が混ぜられながらトイレ容器の外周側に移動され、外周側に移動された猫砂は自重によってトイレ容器の中央部に流下するようになる。従って、羽根体によって上述したように猫の排泄物が猫砂とまぶされ、これによって、排泄物の臭いの発生を効果的に抑えることができる。また、このように猫砂を流動させることによって、猫砂に混ぜられてまぶされた排泄物は、トイレ容器内の猫砂の上面部に集められ、このように集めることによって、スコップなど用いて猫砂にまぶされた排泄物を容易に取り除くことができる。
【００２３】
また、本発明の請求項５に記載の猫用トイレによれば、羽根体の少なくとも一部に捕捉部が設けられているので、トイレ容器と羽根体との相対的回転の際に、猫砂を混ぜてまぶしながら排泄物を捕捉部に集めることができ、臭いの発生を抑えながら排泄物を集めて取り除くことができる。尚、この捕捉部は、例えば、複数の棒状部材を並行状に又は格子状に配設することによって構成することができる。
【００２４】
また、本発明の請求項６に記載の猫用トイレによれば、トイレ容器に関連して捕捉部材が設けられているので、この捕捉部材を利用して猫砂にまぶされた排泄物を取り除くことができる。尚、この捕捉部材は、例えば、トイレ容器内に取り外し自在に取り付けるように構成することができる。
【００２５】
また、本発明の請求項７に記載の猫用トイレによれば、トイレ容器に便座が着脱自在に取り付けられ、この便座に回転機構の駆動源が取り付けられ、この駆動源からの駆動力で伝達する駆動軸の先端部に羽根体が取り付けられているので、羽根体を駆動するための回動機構をコンパクトにすることができる。また、便座を取り外すことによって、猫砂を掻き混ぜる羽根体をトイレ容器から外すことができる。
【００２６】
また、本発明の請求項８に記載の猫用トイレによれば、捕捉部材がトイレ容器の底部と羽根体との間に挿入される。そして、排泄物を取り除くときには、便座がトイレ容器から取り外され、便座を取り外した状態で排泄物を取り除くようになるので、トイレ容器の上方が開放され、猫砂にまぶされた排泄物を容易に取り除くことができる。
【００２７】
また、本発明の請求項９に記載の猫用トイレによれば、トイレ容器に便座が開閉自在に取り付けられ、この便座に回転機構の駆動源が取り付けられ、この駆動源からの駆動力で伝達する駆動軸の先端部に羽根体が取り付けられているので、羽根体を駆動するための回動機構をコンパクトにすることができる。また、便座を閉状態にすると、羽根体がトイレ容器内の猫砂内に位置し、羽根体を回動することによって、猫砂を混ぜることができる。また、便座を開状態にすると、羽根体がトイレ容器内の猫砂の上方に位置し、トイレ容器内の猫の排泄物を容易に取り除くことができる。
【００２８】
また、本発明の請求項１０に記載の猫用トイレによれば、捕捉部材がトイレ容器の底部と羽根体との間に挿入される。そして、排泄物を取り除くときには、便座が開状態に保持されて羽根体が猫砂の上方に位置付けられるので、猫砂にまぶされた排泄物を容易に取り除くことができる。
【００２９】
また、本発明の請求項１１に記載の猫用トイレによれば、トイレ容器はトイレハウジング内に回転自在に支持され、羽根体は支持部及びこの支持部から延びる羽根部とを有し、支持部がトイレハウジング又は便座に取り付けられているので、トイレ容器を回動することによって、羽根体の羽根部がトイレ容器内の猫砂に作用して所要の通りに混ぜ、このように猫砂をまぜながら猫の排泄部にまぶすことができる。
【００３０】
また、本発明の請求項１２に記載の猫用トイレによれば、羽根体の羽根部は作用位置と後退位置との間を移動自在に支持部に連結されているので、この作用位置に位置付けることによって、トイレ容器内の猫砂を混ぜることができ、また後退位置に位置付けることによって、羽根部が猫砂の上方に後退し、これによって、猫砂にまぶされた排泄物を容易に除去することができる。
【００３１】
また、本発明の請求項１３に記載の猫用トイレによれば、羽根体は前記トイレ容器の底部に配設され、捕捉部材は羽根体の上側に配設され、羽根体の作用によりトイレ容器の外周側に移動された猫砂は、その自重によって捕捉部材に向けて流動するので、猫の排泄物は猫砂の流動によってまぶされながら捕捉部材内に集められ、従って、排泄物を捕捉部材内に容易に集めて取り除くことができる。
【００３２】
更に、本発明の請求項１４に記載の猫用トイレによれば、猫の動きを利用してトイレ容器と羽根体とを相対的回転駆動するので、専用の駆動源を必要とせずにこれらを相対回転させることができる。
【００３３】
更にまた、回動機構はシーソー機構及び動き変換機構を備えているので、比較的簡単な構成でもって、猫からの負荷、例えば猫の体重、猫の力などを利用してトイレ容器及び羽根体を相対的に回動させることができる。
【発明を実施するための最良の形態】
【００３４】
以下、添付図面を参照として、本発明に従う猫用トイレの実施形態について説明する。
第１の実施形態
図１〜図４を参照して、猫用トイレの第１の実施形態について説明する。図１は、第１の実施形態の猫用トイレを示す斜視図であり、図２は、図１の猫用トイレを示す断面図であり、図３は、図１の猫用トイレの羽根体を示す平面図であり、図４は、図１の猫用トイレの捕捉部材を示す斜視図である。
【００３５】
図１及び図２において、図示の猫用トイレ２は、猫砂４が収容されるトイレ容器６と、このトイレ容器６に着脱自在に装着される便座８とから構成される。図示のトイレ容器６は外形が円形状であり、円形状の底部１０と、この底部１０の外周部から上方に延びる筒状の側壁部１２とを有し、上面が開放されている。側壁部１２の上端部には径方向外方に突出する環状フランジ１４が設けられている。このトイレ容器６内には猫砂４が収容され、猫砂４は、後述するように、猫の排泄物（糞尿）をまぶしてその臭いの発生を抑えるのに用いられる。このようなトイレ容器６は上述した形状に限定されず、外形が矩形状などの適宜の形状でよく、例えば合成樹脂などから形成することができる。
【００３６】
図示の便座８は、トイレ容器６の上面開口を覆う便座本体１６を備え、この便座本体１６の中央からずれた所定部位に排泄開口１８が設けられている。排泄開口１８は円形乃至楕円形に形成されている。便座本体１６の外周部に環状の垂下部２０が設けられ、垂下部２０の下端部には径方向内方に突出する環状係合部２２が設けられている。このような便座８は、例えば合成樹脂などから形成することができる。
【００３７】
このように構成されているので、トイレ容器６の環状フランジ１４に便座本体１６の外周部を載置し、便座８の係合部２２をトイレ容器６の環状フランジ１４に係合することによって、便座８がトイレ容器６に着脱自在に装着される。このように装着した状態では、図２に示すように、便座８がトイレ容器６の上面開口を覆い、猫は便座８に乗った状態で、或いは猫砂４の上に立った状態でその排泄開口１８から排泄物（糞、尿）をトイレ容器６内の猫砂４に排泄する。尚、便座８の係合部２２とトイレ容器６の環状フランジ１４との係合状態を解除することによって、便座８をトイレ容器６から取り外すことができる。
【００３８】
この実施形態では、猫砂４を掻き混ぜるための羽根体２６が設けられ、この羽根体２６を回動させための回動機構２８が便座８に取り付けられている。回動機構２８は、駆動源を構成する電動モータ３０と、この電動モータ３０からの駆動力を伝達する駆動軸３２とを備えている。電動モータ３０は便座８の内面に装着され、この電動モータ３０の出力部が減速手段３４を介して駆動軸３２の基部が駆動連結されている。駆動軸３２はトイレ容器６の中央部に配置され、その先端部はトイレ容器６の底部１０に向けて直線状に延び、その先端部に羽根体２６が取り付けられている。
【００３９】
羽根体２６は一対の羽根部３６から構成され、各羽根部３６の基部が駆動軸３２の先端部に固定されている。各羽根部３６は、図３に示すように、駆動軸３２から径方向外方に向けて、矢印３８で示す回動方向に見て後方に凸状に湾曲するように延びており、このように構成することによって、羽根部３６が矢印３８で示す方向に回動することによって、トイレ容器６内の猫砂４は、矢印３８で示す方向に移動しながら径方向外方に移動され、これによって、猫砂４はトイレ容器６内を後述する如く循環するように流動される。尚、この実施形態では、羽根部３６を２つ設けているが、１つ又は三つ以上設けるようにしてもよい。
【００４０】
羽根体２６の各羽根部３６は、その上縁部が矢印３８で示す回動方向後方に向けて上方に傾斜するように構成するのが好ましく、このように構成することによって、羽根体６が矢印３８で示す方向に回動されると、各羽根部３６の上縁部が猫砂４を上方に持ち上げるように移動させ、これによって、猫砂４内に周囲の空気が流入し易くなり、尿で固まった猫砂４がトイレ容器６の内面に固着することもなく、猫砂４を流動し易いきれいな状態に保つことができる。
【００４１】
この実施形態では、猫の排泄物（糞尿）を容易に取り除くことができるように、トイレ容器６に関連して、捕捉部材４０が設けられている。図４をも参照して、図示の捕捉部材４０は、猫の排泄物４２（図１、図３参照）を捕捉するための捕捉部４４と、この捕捉部４４から延びる取っ手部４６とを有し、取っ手部４６の先端部に把持部４８が設けられている。捕捉部４４は、トイレ容器６の底部１０の大きさよりも幾分小さい円形状であり、円形状の支持リング５０と、この支持リング５０間に間隔をおいて設けられた複数の棒状部材５２とから構成され、これら棒状部材５２間の間隔は、猫砂４は通過して流動するが、ある程度の大きさの排泄物は通過しないような大きなに形成される。また、取っ手部４６は捕捉部４４から上方に延びて設けられ、この取っ手部４６の把持部４８を把持することによって、捕捉部材４０を容易に持ち上げることができる。
【００４２】
この捕捉部材４０は、図１に示すように、トイレ容器６の底部１０と羽根体６との間に配設され、把持部４８を把持して捕捉部４４の先端側からトイレ容器６の内面に沿って挿入することによって、図１に示す状態に装着することができ、このような装着状態では、取っ手部４６はトイレ容器６の側壁部１２の内側に沿って上方に延び、把持部４８は、トイレ容器６内に収容された猫砂４の上方に位置し、このように把持部４８を猫砂４から突出させることによって、捕捉部材４０の後述する取り出しが容易となる。
【００４３】
上述した構成の猫用トイレ２は、次のようにして用いられる。猫用トイレ２として用いるときには、便座８を取り外した状態にて、トイレ容器６内に所定量の猫砂４を収容し、捕捉部材４０をトイレ容器６の内面に沿って挿入し、その捕捉部４４をトイレ容器６の底部１０の内側に位置付ける。その後、羽根体２６を猫砂４内に押し込むようにして、トイレ容器６の上面開口に便座８を着脱自在に取り付ける。このように便座を取り付けると、羽根体２６はトイレ容器６内の猫砂４内に埋設した状態となり、捕捉部材４０の捕捉部４４は、この羽根体２６の下側に位置するようになる。
【００４４】
猫は、このような状態の猫用トイレ２の便座８の排泄開口１８から猫砂４上に排泄する。猫は排泄前後に猫砂４を前足で掻く習性があるが、排泄開口１８から前足を入れてトイレ容器内の猫砂４を掻いても、掻いた猫砂４がトイレ容器６及び便座８の内面に当たって跳ね返り、便座８の排泄開口１８から外に出ることがほとんどなく、周囲をきれいな状態に保つことができる。
【００４５】
猫の排泄物を処理するときには、回動機構２８の電動モータ３０を作動させて羽根体２６を矢印３８で示す方向に回転させる。かくすると、この羽根体２６の回動によって、トイレ容器６内の猫砂４が径方向外方に移動され、このように外方に移動されることによって、トイレ容器６の猫砂４は外周側が高く山状となり、そして、このように外方に移動された猫砂４は、自重によってトイレ容器６の中央部に流下し、猫砂４はトイレ容器６内で上述したように循環流動されるようになる。
【００４６】
この羽根体２６の回転中においては、トイレ容器６内の猫砂４は、図１に一点鎖線で示すように、トイレ容器６の外周側が高く、その中央部が低くなり、外側に移動した猫砂４がトイレ容器６の中央部に流動する際に、比較的大きな固形物（排泄物４２の固まったもの）は、転がるように流下するために、図１及び図３に一点鎖線で示すように猫砂４の上側に集まり、上述した猫砂４の流動を利用して排泄物４２をトイレ容器６の中央部に集めることができる。このとき、猫の排泄物４２は、上述した如く流動する猫砂４に混ぜられてその全体が猫砂４でまぶざされ、このようにまぶすことによって、排泄物４２から発生する臭いを抑えることができる。上述したように猫砂４をまぶした後は、電動モータ３０の作動が停止され、例えば猫が排泄した毎に電動モータ３０を作動させて猫砂４でまぶすようになる。
【００４７】
猫砂４でまぶした排泄物４２を取り除くときには、便座８をトイレ容器６から取り外した後に、捕捉部材４０を持ち上げればよい。便座８を取り外すと、羽根体２６も猫砂４内から取り出され、捕捉部材４０の上方が開放される。かかる状態にて捕捉部材４０を持ち上げてトイレ容器６内から取り出すと、トイレ容器４内の猫砂４は捕捉部材４０の棒状部材５２間を通して下方に流下し、猫砂４にまぶされた排泄物４２のみが捕捉部材４０の捕捉部４４に載った状態で取り出され、捕捉部材４０を取り出すという簡単な動作でもってトイレ容器６の中央部に集められた排泄物４２を容易に除くことができる。
【００４８】
上述した実施形態では、羽根体２６を電動モータ３０の駆動力を利用して矢印３８で示す方向に回動させているが、このような電動モータ３０を用いることなく、手動でもって羽根体を所定方向に回動させるようにしてもよく、この場合、駆動軸に連結された手動操作部を設けることができる。
【００４９】
また、上述した実施形態では、トイレ容器６の底部１０と羽根体２６との間に配設される捕捉部材４０によって猫の排泄物４２を取り除くように構成しているが、このような捕捉部材４０を設けることなく、従来のスコップなどを用いて排泄物４２を取り除くようにしてもよい。
【００５０】
また、上述した実施形態では、便座８をトイレ容器６に着脱自在に装着しているが、このような構成に限定されず、便座８をトイレ容器６に開閉自在に装着するようにしてもよい。この場合、閉状態に保持すると、便座８はトイレ容器６の上面開口を覆い、羽根体２６はトイレ容器６内の猫砂４内に埋設された状態となり、かかる状態において電動モータ３０を回動すると、羽根体２６はトイレ容器６内の猫砂４を所要の通りに流動し、また開状態に保持すると、便座８はトイレ容器６の上面開口を開放し、羽根体２６はトイレ容器６内の猫砂４から出されてその上方に位置し、かかる状態に保持することによって、トイレ容器６の猫砂４上に集められた排泄物４２を容易に取り除くことができる。
【００５１】
上述した猫用トイレ２の猫砂４としては、従来から使用されているゼオライト系の猫砂などを用いることができるが、エンペドバクター属細菌を混ぜたものを好都合に用いることができ、エンペドバクター属細菌としては、特に、ＳＩＩＤ２９２６−１ｂ株（ＦＲＲＭ  ＡＰ−２０１０８）を用いるのが望ましい。エンペドバクター属細菌、特にＳＤＤＩ２９２６−１ｂ株の細菌は、１０〜６０℃程度の温度範囲で活動し、菌自体に全く毒性がなく、また猫の排泄物などの糞尿に対して強力な消臭力を持ち、糞尿に対する分解力も有し、更に雑菌、例えばレジオネラ菌などの繁殖を抑える力も有しており、家庭の猫用トイレ２の猫砂４に添加して使用するのに非常に好都合な細菌である。このような細菌を添加することによって、排泄物からの臭いの発生をより抑え、猫の生活空間をより快適な環境とすることができる。
【００５２】
第２の実施形態
次に、図５を参照して、本発明に従う猫用トイレの第２の実施形態について説明する。図５は、第２の実施形態の猫用トイレを示す断面図である。尚、以下の実施形態において、第１の実施形態と実質上同一の部材には同一の参照番号を付し、その説明を省略する。
【００５３】
図５において、この猫用トイレ２Ａにおいては、猫砂４を収容するトイレ容器６Ａはトイレハウジング５２に収容され、このトイレ容器６Ａが回動されるように構成されているとともに、このトイレハウジング５２の上面開口に便座８Ａが開閉自在に装着されている。更に説明すると、トイレハウジング５２の底部の内面には回転支持機構５４が取り付けられ、この回転支持機構５４を介してトイレ容器６Ａが取り付けられている。回転支持機構５４は、トイレハウジング５２の底部に固定された固定部材５６と、この固定部材５６に複数の球状部材５８を介して回転自在に支持された回転部材６０とを備え、回転部材６０にトイレ容器６Ａが取り付けられている。
【００５４】
また、トイレ容器６Ａを回転駆動するための回動機構２８Ａは、電動モータ３０Ａと、この電動モータ３０Ａからの回動力をトイレ容器６Ａに駆動伝達するための駆動伝達手段６２とを備えている。電動モータ３０Ａはトイレハウジング５２の底部内面に取り付けられ、その出力軸にはプーリ６４が取り付けられている。この実施形態では、駆動伝達手段６２は伝動ワイヤ６６から構成され、プーリ６４とトイレ容器６Ａの外周面との間にこの伝動ワイヤ６６が巻き掛けられている。このように構成されているので、電動モータ３０Ａが作動すると、プーリ６４及び伝動ワイヤ６６を介して入れ容器６Ａが所定方向に回動される。尚、駆動伝達手段６２として、各種歯車、摩擦プーリなどを組み合わせて用いるようにしてもよい。
【００５５】
この実施形態では、羽根体２６Ａは便座８Ａに固定的に設けられている。この羽根体２６Ａは、棒状の支持部６８と、この支持部６８に先端部に取り付けられた羽根部７０とを有し、支持部６８が便座８Ａの内面に固定された取付ブラケット７２に取り付けられている。また、羽根部７０は支持部６８に、図５に実線で示す作用位置と、図５に一点鎖線で示す後退位置との間を移動自在に装着されている。作用位置に位置するときには、羽根部７０はトイレ容器６Ａ内の猫砂４に埋設された状態となり、トイレ容器６Ａが所定方向に移動されることによって、この猫砂４を上述したようにかき混ぜ、また後退位置に位置するときには、羽根部７０は猫砂４から取り出せてその上方に位置し、猫砂４に作用することはなく、このように後退位置に位置付けることによって、後述する便座８Ａの開閉動が容易となるとともに、猫の排泄物４２を取り除くのが容易となる。
【００５６】
この実施形態では、排泄開口１８Ａを有する便座８Ａが、トイレ容器６Ａに開閉自在に装着されている。即ち、便座８Ａとトイレ容器６Ａとが蝶番７４を介して装着され、図５に実線で示す閉位置と、図５に一点鎖線で示す開位置との間を移動自在に装着されている。閉位置に位置するときには、便座８Ａの外周部はトイレハウジング５２の上端部に当接支持され、トイレハウジング５２の上面開口を覆い、猫からの排泄物は便座８Ａの排泄開口１８Ａからトイレ容器６Ａ内の猫砂４上に排泄される。また、開位置に位置するときには、便座８Ａはトイレハウジング５２の外側に位置してその上方（換言すると、トイレ容器６Ａの上方空間）が開放され、従って、この開位置に位置付けることによって、猫の排泄物４２をトイレ容器６Ａから容易に取り除くことができる。このとき、羽根体２６Ａの羽根部７０を後退位置に位置付けることによって、便座８Ａの開位置への位置付けが容易となる。
【００５７】
この猫用トイレ２Ａにおいても、電動モータ３０Ａによってトイレ容器６Ａが所定方向に回動されると、トイレ容器６Ａと羽根体２６Ａとの相対的回動によって、トイレ容器６Ａ内の猫砂４が径方向外方に移動され、外方に移動された猫砂４は、自重によってトイレ容器６Ａの中央部に流下し、第１の実施形態と同様に、猫砂４はトイレ容器６Ａ内で上述したように循環流動されるようになる。そして、トイレ容器６Ａの回転中においては、トイレ容器６Ａ内の猫砂４は、第１の実施形態と同様に、図５に一点鎖線で示すように、トイレ容器６Ａの外周側が高く、その中央部が低くなり、外側に移動した猫砂４がトイレ容器６Ａの中央部に流動する際に、比較的大きな固形物（排泄物４２の固まったもの）は、転がるように流下するために、図５に一点鎖線で示すように猫砂４の上側に集まり、猫砂４の流動を利用して排泄物４２をトイレ容器６Ａの中央部に集めることができる。このとき、猫の排泄物４２は、上述したと同様に、流動する猫砂４に混ぜられてその全体が猫砂４でまぶざされ、このようにまぶすことによって、排泄物４２から発生する臭いを抑えることができる。尚、この実施形態では、猫砂４にまぶされた排泄物４２を取り除くには、従来のコップなどを用い取り除くようになる。
【００５８】
上述した実施形態では、羽根体２６Ａの羽根部７０を作用位置と後退位置との間を移動自在に支持部６８に装着しているが、このように構成することなく、この羽根部７０を支持部６８に固定的に取り付けるようにしてもよい。
【００５９】
また、上述した実施形態では、羽根体２６Ａを便座８Ａに取り付けているが、この羽根体２６Ａをトイレハウジング５２に取り付けるようにしてもよい。
また、この実施形態においては、トイレ容器６Ａを電動モータ３０Ａの駆動力を利用して回動させているが、この実施形態においても、手動でもってトイレ容器６Ａを書例方向に回動させるようにしてもよい。
【００６０】
第３の実施形態
次いで、図６及び図７を参照して、本発明に従う猫用トイレの第３の実施形態について説明する。図６は、第３の実施形態の猫用トイレを示す断面図であり、図７は、図６の猫用トイレの捕捉部材を示す斜視図である。
【００６１】
図６及び図７において、この実施形態の猫用トイレ２Ｂでは、トイレ容器６Ｂはトイレハウジング５２Ｂに収容され、回動機構２８Ｂの電動モータ３０Ｂがトイレハウジング５２Ｂ側に取り付けられている。更に説明すると、トイレハウジング５２Ｂの底部には、周方向に間隔をおいて複数の支持突部８２が設けられ、かかる支持突部８２にトイレ容器６Ｂが固定支持されている。トイレハウジング５２Ｂの底部中央部には収容空間８４が規定され、この収容空間８４に回動機構２８Ｂの電動モータ３０Ｂが収容され、電動モータ３０Ｂはトイレハウジング５２Ｂの底壁内面に取り付けられている。電動モータ３０Ｂの出力部には減速機構８６が駆動連結され、この減速機構８６を介して駆動軸８８が駆動連結されている。駆動軸８８は、トイレ容器６Ｂの底部１０を貫通して内方に突出し、このトイレ容器６Ｂ内を上方に延びている。
【００６２】
羽根体２６Ｂは一対の羽根部３６Ｂを有し、この羽根部３６Ｂの基部が駆動軸８８の所定部位（具体的には、トイレ容器６Ｂ内に突出する部位）に取り付けられている。羽根体２６Ｂの各羽根部３６Ｂは第１の実施形態における羽根部３６と実質上同一の形状でよく、このような形状の羽根部３６Ｂを用いることによって、トイレ容器６Ｂ内の猫砂４を第１の実施形態と同様に循環流動させることができる。
【００６３】
この実施形態では、捕捉部材４０Ｂは、羽根体２６Ｂの上側に配設される。捕捉部材４０Ｂは、図７に示すように、筒状部９０と、この筒状部９０に接続された内環状部９２と、内環状部９２から放射状に延びる接続部９４と、これら接続部９４の先端部を接続する外環状部９６とを有し、内環状部９２、隣接する一対の接続部９４及び外環状部９６によって規定される開口に網部材１００が取り付けられている。この網部材１００は、猫砂４は通過して流動するが、ある程度の大きさの固形物（排泄物）は通過しないものが選定される。この捕捉部材４０Ｂは、図７に示すようにその一部が切欠かれているのが望ましく、このように切欠くことによって、切欠き部１０１を通して排泄物４２が捕捉部材４０Ｂの上側に移動して捕捉部材４０Ｂの上側にて捕捉されるようになる。この捕捉部材４０Ｂは、筒状部９０内に駆動軸８８を挿入するようにして駆動軸８８に相対回動自在に且つ上下移動可能に装着され、筒状部９０の下端部が羽根体２６Ｂに当接支持され、このように当接支持された状態では、筒状部９０の上端部はトイレ容器６Ｂに収容された猫砂４から上方に突出する（図６参照）。
【００６４】
このように構成されるので、電動モータ３０Ｂが作動されると、減速機構８６及び駆動軸８８を介して羽根体２６Ｂが所定方向に回動されるが、捕捉部材４０Ｂは、トイレ容器６Ｂ内の猫砂４が抵抗となって回動することなく停止状態に保持される。また、捕捉部材４０Ｂの筒状部９０の上端部（猫砂４から突出する端部）を摘んで上方に持ち上げることによって、この捕捉部材４０Ｂを駆動軸８８から容易に取り外すことができる。尚、この第３の実施形態のその他の構成は、上述した第２の実施形態と実質上同一である。
【００６５】
この猫用トイレ２Ｂにおいては、電動モータ３０Ｂによって羽根体２６Ｂが所定方向に回動されると、トイレ容器６Ｂに対する羽根体２６Ｂの回動によって、トイレ容器６Ｂ内の猫砂４が径方向外方に移動され、外方に移動された猫砂４は、自重によってトイレ容器６Ｂの中央部に、即ち捕捉部材４０Ｂに流れ込むように流下し、第１の実施形態と同様に、猫砂４はトイレ容器６Ｂ内で上述したように循環流動されるようになる。そして、トイレ容器６Ｂの回転中においては、トイレ容器６Ｂ内の猫砂４は、第１の実施形態と同様に、図６に一点鎖線で示すように、トイレ容器６Ｂの外周側が高く、その中央部が低くなり、外側に移動した猫砂４がトイレ容器６Ｂの中央部に流動する（即ち、捕捉部材４０Ｂに流れ込む）際に、比較的大きな固形物（排泄物４２の固まったもの）は、転がるように流下するために、図７に一点鎖線で示すように捕捉部材４０Ｂの上側に集まり、猫砂４の流動を利用して排泄物４２をトイレ容器６Ｂの中央部、即ち捕捉部材４０Ｂの中央部に集めることができる。このとき、猫の排泄物４２は、上述したと同様に、流動する猫砂４に混ぜられてその全体が猫砂４でまぶざされ、このようにまぶすことによって、排泄物４２から発生する臭いを抑えることができる。
【００６６】
猫砂４でまぶした排泄物４２を取り除くときには、便座８Ａを蝶番７４を中心として上方に持ち上げて図６に一点鎖線で示す開状態にした後に、捕捉部材２６Ｂの筒状部９０の摘んで持ち上げればよい。便座８Ａを開状態にすると、トイレハウジング５２Ｂの上面開口が開放され、かかる状態にて捕捉部材４０Ｂを持ち上げてトイレ容器６Ｂ内から取り出すと、トイレ容器４内の猫砂４は捕捉部材４０Ｂの網部材１００間を通して下方に流下し、猫砂４にまぶされた排泄物４２のみが捕捉部材４０Ｂの網部材１００に載った状態で取り出され、捕捉部材４０Ｂを取り出すという簡単な動作でもってトイレ容器６Ｂに集められた排泄物４２を容易に除くことができる。
【００６７】
この実施形態においても羽根体２６Ｂを電動モータ３０Ｂの駆動力を利用して回動させているが、電動モータを用いることなく、手動でもって羽根体を回動させるようにすることもできる。
【００６８】
また、この実施形態では、駆動軸８８に羽根体２６Ｂを固定し、この羽根体２６Ｂの上側に捕捉部材４０Ｂを配設しているが、このような構成に代えて、羽根体２６Ｂ及び捕捉部材４０Ｂの双方を駆動軸８８に取り外し可能に構成し、上述した第１の実施形態における配置と同様に、この駆動軸８８に捕捉部材４０Ｂを装着し、その後羽根体２６Ｂを装着し、羽根体２６Ｂについては駆動軸８８と一体的に回動するようにすることもでき、この場合、排泄物４２を取り除くには、駆動軸８８から羽根体２６Ｂを取り外した後に捕捉部材４０Ｂを取り外すようになる。
【００６９】
また、第１及び第３の実施形態では、羽根体２６，２６Ｂとは別個に捕捉部材４０，４０Ｂを設けているが、このような専用の捕捉部材４０，４０Ｂを省略し、羽根体２６，２６Ｂに捕捉部を設けるようにしてもよい。この場合、捕捉部は羽根体２６，２６Ｂの羽根部３６，３６Ｂの上部に設けることができ、排泄物の取り出しを容易にするために、羽根体２６，２６Ｂを取外し可能に構成するのが望ましい。
【００７０】
第４の実施形態
次に、図８を参照して、本発明に従う猫用トイレの第４の実施形態について説明する。図８は、第４の実施形態の猫用トイレを備えた猫用ボックスを簡略的に示す断面図である。
【００７１】
図８において、図示の猫用ボックス１０２は、例えば周側面及び上面が例えば棒状の格子部材から形成されたボックス本体１０４を備え、このボックス本体１０４内に猫用トイレ１０６が装備されている。この猫用トイレ１０６は、猫砂１０８が収容されたトイレ容器１１０を備え、このトイレ容器１１０内に猫砂１０８を混ぜるための羽根体１１２が設けられ、この羽根体１１２が猫１１４の動きを利用して回動されるように構成されている。羽根体１１２は、回転自在に支持された円筒回転部材１１６と、円筒回転部材１１６の周面に間隔をおいて配設された羽根部１１８とを備え、羽根体１１２が所定方向に回動されることによって、トイレ容器１１０内の猫砂１０８が混ぜられる。
【００７２】
羽根体１１２を回動させるための回動機構１２０は、シーソー機構１２２及び動き変換機構１２４を含んでいる。シーソー機構１２２は第１支点部材１２６を中心として上下方向に揺動する第１シーソー板１２８を備え、この第１シーソー板１２８の両端部に、元の状態に復帰させるための復帰手段としてのばね部材１２９が配設され、かかるばね部材１２９は第１シーソー板１２８とボックス本体１０４の底壁との間に介在される。また、動き変換機構１２４は第２支点部材１３０を中心として上下方向に揺動する第２シーソー板１３２と、この第２シーソー板１３２の一端部に連結されたリンク部材１３４とを備え、リンク部材１３４の端部が例えば一方向クラッチ手段（図示せず）を介して羽根体１１２に駆動連結される。更に、第２シーソー板１３２の他端部にはシーソー機構１２２の第１支持部材１２６が取り付けられ、動き変換機構１２４の第２シーソー板１３２の上側にシーソー機構１２２が配設される。
【００７３】
このように構成されるので、例えば猫１１４が図８に示すようにシーソー機構１２２の第１シーソー板１２８の一端部に乗る（或いは、この一端部を前足などで押す）と、猫１１４からの負荷が第１シーソー板１２８の一端部に作用し、この第１シーソー板１２８が第１支点部材１２６を中心として図８において反時計方向に揺動するとともに、この第１シーソー板１２８を介して動き変換機構１２４の第２シーソー板１３２の他端部に猫１１４からの負荷が作用し、この第２シーソー板１３２が第２支点部材１３０を中心として時計方向に揺動する。かくすると、第２シーソー板１３２の時計方向の揺動がリンク部材１３４及び一方向クラッチ手段（図示せず）を介して羽根体１１２に伝達され、この羽根体１１２が所定方向に回動され、かくして、羽根体１１２の回動によってトイレ容器１０８内の猫砂１０８が混ぜられ、トイレ容器１０８内に排泄された排泄物は猫砂１０８にまぶされ、排泄物からの臭いの発生が抑えられる。
【００７４】
また、猫１１４が第１シーソー板１２８の一端部から下りる（或いは、この一端部の押圧を解除する）と、猫１１４から第１シーソー板１２８の一端部への作用が解除され、この第１シーソー板１２８が第１支点部材１２６を中心として図８において時計方向に揺動するとともに、動き変換機構１２４の第２シーソー板１３２の他端部へ作用も解除され、この第２シーソー板１３２が第２支点部材１３０を中心として反時計方向に揺動する。かくすると、第２シーソー板１３２の反時計方向の揺動がリンク部材１３４を介して一方向クラッチ手段（図示せず）に伝達されるが、かかる駆動力は一方向クラッチ手段から羽根体１１２に伝達されず、羽根体１１２が所定方向と反対方向に回動されることはない。
【００７５】
上述した猫用トイレ１０６では、シーソー機構１２２の第１シーソー板１２８の上述した揺動に応じて動き変換機構１２０及び一方向クラッチ手段（図示せず）を介して羽根体１１２が回動されるので、猫１１４の動きを利用して羽根体１１２を所定方向に回動させることができ、電動モータの如き特別な駆動源を必要とすることなく羽根体１１２を移動させることができる。
【００７６】
この実施形態では、猫１１４が上述したように動くように、更に、次の通りに構成されている。即ち、シーソー機構１２２の上方に餌入れ１４２が設けられ、この餌入れ１４２の排出部にセンサスイッチ１４４が設けられ、またシーソー機構１２２の第１シーソー板１２８の他端部上方に餌受け１４６が設けられている。餌入れ１４２に餌１４８を入れると、猫１１４はこの餌１４８を食べようとして飛び上がり、このように飛び上がりを繰り返すと、飛び上がり毎にシーソー機構１２２の第１シーソー板１２８の他端部に乗るようになり、猫１１４の飛び上がり動作を利用して上述した如く羽根体１１２が所定方向に回動される。
【００７７】
また、このように飛び上がってセンサスイッチ１４４のセンサ部１５０を押圧すると、餌入れ１４２の排出部が開放されて餌入れ１４２内の餌１４８が所定量、例えば一つ排出され、かく排出された餌１４８が餌受け１４６に受け入れられる。このように餌１４８が排出されると、猫１１４は、排出された餌１４６を食べようと第１シーソー板１２８の一端側から他端側に移動し、このような猫１１４の移動によっても動き変換機構１２０及び一方向クラッチ手段（図示せず）を介して羽根体１１２が所定方向に回動される。
【００７８】
以上、本発明に従う猫用トイレの各種実施形態について説明したが、本発明はこれら実施形態に限定されず、本発明の範囲を逸脱することなく種々の変形乃至修正が可能である。
【図面の簡単な説明】
【００７９】
【図１】第１の実施形態の猫用トイレを示す斜視図。
【図２】図１の猫用トイレを示す断面図。
【図３】図１の猫用トイレの羽根体を示す平面図。
【図４】図１の猫用トイレの捕捉部材を示す斜視図。
【図５】第２の実施形態の猫用トイレを示す断面図。
【図６】第３の実施形態の猫用トイレを示す断面図。
【図７】図６の猫用トイレの捕捉部材を示す斜視図。
【図８】第４の実施形態の猫用トイレを備えた猫用ボックスを簡略的に示す断面図。
【符号の説明】
【００８０】
２，２Ａ，２Ｂ，１０２  猫用トイレ
４，１０８  猫砂
６，６Ａ，６Ｂ，１１０  トイレ容器
８，８Ａ  便座
２６，２６Ａ，２６Ｂ，１１２  羽根体
２８，２８Ａ，２８Ｂ、１２０  回動機構
４０，４０Ｂ  捕捉部材
４２  排泄物
【図１】
2006340716.tif 000003
【図２】
2006340716.tif 000004
【図３】
2006340716.tif 000005
【図４】
2006340716.tif 000006
【図５】
2006340716.tif 000007
【図６】
2006340716.tif 000008
【図７】
2006340716.tif 000009
【図８】
2006340716.tif 000010